(57)【要約】【課題】締結又は閉鎖アッセンブリがリール上の保管状態から巻き出された後に正確に直線状に保たれることを保証すること。【解決手段】本発明は、シート又は包装用の袋の口部に取り付けられる締結又は閉鎖アッセンブリに関する。この締結又は閉鎖アッセンブリは、支持ウェブ（１２０、１４０）と、この支持ウェブ（１２０、１４０）により担持された締結又は閉鎖要素（１２４、１４４）とにより形成された、少なくとも一つの締結又は閉鎖ストリップ（１２、１４）を備えている。また、この締結又は閉鎖アッセンブリは、ストリップの支持ウェブ（１２０、１４０）の幅方向の一部を占める、連続的に配置された切り口（１３、１５）を有し、これらの切り口（１３、１５）は、締結又は閉鎖要素（１２４、１４４）の外側に位置するとともに、アッセンブリの長さ方向に亘って配置され、アッセンブリのゆがみや湾曲、ねじれの影響を抑えるように構成されている。【選択図】図１
2006347630.tif 000002
【特許請求の範囲】
【請求項１】
シート又は包装用の袋の口部に取り付けられる締結又は閉鎖アッセンブリであって、支持ウェブ（１２０、１４０）と、この支持ウェブ（１２０、１４０）により担持された締結又は閉鎖要素（１２４、１４４）とにより形成された、少なくとも一つの締結又は閉鎖ストリップ（１２、１４）を備えた締結又は閉鎖アッセンブリにおいて、
前記ストリップの前記支持ウェブ（１２０、１４０）の幅方向の一部を占める、連続的に配置された切り口（１３、１５）を有し、これらの切り口（１３、１５）は、前記締結又は閉鎖要素（１２４、１４４）の外側に位置するとともに、前記アッセンブリの長さ方向に亘って配置され、前記アッセンブリのゆがみや湾曲、ねじれの影響を抑えるように構成されていることを特徴とする、締結又は閉鎖アッセンブリ。
【請求項２】
前記アッセンブリは二つの相補的な締結又は閉鎖ストリップ（１２、１４）を備え、これらのうちの少なくとも一方が前記連続的に配置された切り口を有することを特徴とする、請求項１に記載のアッセンブリ。
【請求項３】
前記切り口（１３、１５）の全てが前記ストリップ（１２、１４）の共通の縁に対して開口していることを特徴とする、請求項１又は２に記載のアッセンブリ。
【請求項４】
前記切り口（１３、１５）の全てが前記ストリップ（１２、１４）の各々の二つの縁（３０、３２）の間に形成されていることを特徴とする、請求項１又は２に記載のアッセンブリ。
【請求項５】
前記切り口（１３、１５）が前記ストリップ（１２、１４）の縁（３０、３２）に対して略平行に延びていることを特徴とする、請求項４に記載のアッセンブリ。
【請求項６】
一つのストリップ（１２、１４）内に形成された前記切り口（１３、１５）が全て一列に並んでいることを特徴とする、請求項５に記載のアッセンブリ。
【請求項７】
一つのストリップ（１２、１４）内に形成された前記切り口（１３、１５）はその全てが一列に並んでいるとは限らないことを特徴とする、請求項５に記載のアッセンブリ。
【請求項８】
前記切り口（１３、１５）が前記ストリップの縁（３０、３２）を横切るように延びていることを特徴とする、請求項１から４までのいずれか一項に記載のアッセンブリ。
【請求項９】
前記切り口（１３、１５）が前記ストリップの縁（３０、３２）に対して斜めになっていることを特徴とする、請求項１から４までのいずれか一項に記載のアッセンブリ。
【請求項１０】
前記切り口（１３、１５）が前記ストリップの縁（３０）に対して３０°〜６０°の範囲にある角度で傾斜していることを特徴とする、請求項９に記載のアッセンブリ。
【請求項１１】
前記切り口（１３、１５）が二つの平行な縁（１３４、１３５）を有していることを特徴とする、請求項１から１０までのいずれか一項に記載のアッセンブリ。
【請求項１２】
前記切り口（１３、１５）が平行でない縁（１３４、１３５、１５４、１５５）を有していることを特徴とする、請求項１から１１までのいずれか一項に記載のアッセンブリ。
【請求項１３】
前記切り口（１３、１５）がＶ字型の形状をなしていることを特徴とする、請求項１から１２までのいずれか一項に記載のアッセンブリ。
【請求項１４】
前記切り口（１３、１５）が、前記ストリップの縁（３０）に垂直な平面に関して対称的であることを特徴とする、請求項１３に記載のアッセンブリ。
【請求項１５】
前記切り口（１３、１５）が、前記ストリップの縁（３０）に垂直な平面に関して非対称的であることを特徴とする、請求項１３に記載のアッセンブリ。
【請求項１６】
前記切り口（１３、１５）の縁が、前記ストリップの縁（３０）に対して３０°〜６０°の範囲にある角度で傾斜していることを特徴とする、請求項９から１５までのいずれか一項に記載のアッセンブリ。
【請求項１７】
前記切り口（１３、１５）は、それらの高さよりも大きな幅（ｌ）を持っていることを特徴とする、請求項１から１６までのいずれか一項に記載のアッセンブリ。
【請求項１８】
前記切り口（１３、１５）は、狭い切欠きとして構成されていることを特徴とする、請求項１から１７までのいずれか一項に記載のアッセンブリ。
【請求項１９】
前記切り口（１３、１５）は、何ら材料が除去されることなく形成された、切り込みとして構成されていることを特徴とする、請求項１から１８までのいずれか一項に記載のアッセンブリ。
【請求項２０】
前記切り口（１３、１５）の高さは、前記ストリップの高さｈ０に対して１／３から１／１０の範囲にあることを特徴とする、請求項１から１９までのいずれか一項に記載のアッセンブリ。
【請求項２１】
前記切り口（１３、１５）が袋のピッチで形成されていることを特徴とする、請求項１から２０までのいずれか一項に記載のアッセンブリ。
【請求項２２】
前記切り口（１３、１５）が袋のピッチと異なったピッチで形成されていることを特徴とする、請求項１から２０までのいずれか一項に記載のアッセンブリ。
【請求項２３】
前記アッセンブリがポリオレフィン、好ましくはポリエチレン又はポリプロピレンからなることを特徴とする、請求項１から２２までのいずれか一項に記載のアッセンブリ。
【請求項２４】
前記アッセンブリは、相補的な雄型又は雌型の要素（１２２、１４２）を有する二つのストリップを備えていることを特徴とする、請求項１から２３までのいずれか一項に記載のアッセンブリ。
【請求項２５】
前記アッセンブリは、相補的なフック（１２４、１４４）が取り付けられた二つのストリップを備えていることを特徴とする、請求項１から２３までのいずれか一項に記載のアッセンブリ。
【請求項２６】
前記アッセンブリが、アクチュエータとしてのスライダー（２０）を有することを特徴とする、請求項１から２５までのいずれか一項に記載のアッセンブリ。
【請求項２７】
前記二つの相補的な締結又は閉鎖ストリップ（１２、１４）の各々が、それぞれの支持ウェブ（１２０、１４０）のうち締結又は閉鎖要素（１２４、１４４）の外側に、連続的に配置された切り口（１３、１５）を有することを特徴とする、請求項２と組み合わせられる請求項１から２６までのいずれか一項に記載のアッセンブリ。
【請求項２８】
請求項１から２７までのいずれか一項に記載のアッセンブリが取り付けられたことを特徴とする袋。
【請求項２９】
請求項１から２７までのいずれか一項に記載のアッセンブリが取り付けられたことを特徴とするシート。
【発明の詳細な説明】
【技術分野】
【０００１】
本発明は、締結又は閉鎖アッセンブリが取り付けられたシート又は袋の分野に関する。
【背景技術】
【０００２】
随意に連続して何回でも開閉できるようにその口部にアッセンブリが取り付けられた袋として、例えば日常用途（あくまでも一例でありこれに限定されるものではない）で用いられるバッグや小さな袋のようなものが多数知られている。
【０００３】
このような閉鎖アッセンブリとしては特に、袋の口部にて互いに対向する相補的な雄型又は雌型の要素をそれぞれ担持する二つの支持ウェブを備えたものが知られている。機能的に同等の閉鎖アッセンブリとしては、袋の口部にて互いに対向するように位置付けられたウェブ上のフックであって、互いに引っかけることにより両者を固定するものも知られている。
【０００４】
他の分野、特に商品陳列や包装用材料のような分野では、締結（ファスナ）アッセンブリが取り付けられたシートして、他のシート又は関連する支持体の上に設けられた相補的な締結アッセンブリないし手段と協働するように設計されたものが知られている。
【０００５】
出願人は、特定の状況において、従来の締結又は閉鎖アッセンブリが十分な満足感を与えるものでないことを見出した。
【０００６】
このことは特に、ポリオレフィン、主としてポリエチレン又はポリプロピレンからなる締結又は閉鎖アッセンブリに当てはまる。押出成形がなされた後で、かつ、シート又は袋を作り上げるためにフィルムに固定される前の時点においては、このようなアッセンブリは一般に、保管用の円形のリールに巻き取られている。残念なことに、このような用途で用いられるポリマーは、変形状態に関して弾性記憶（elastic memory）を持っており、時が経つと、各種の相を経て、異なった種類の結晶の形態に再結晶化する。
【０００７】
このことは、高いレベルの内部応力をもたらすこととなり、以上のようにして円形のリールに保管されているアッセンブリに対して、ある種のゆがみやねじれが引き起こされる。
【０００８】
このような湾曲は、締結又は閉鎖アッセンブリをフィルム（シート又は袋を構成することとなるもの）の上に固定するプロセスを実施する際に、非常に厄介なものとなる。アッセンブリのこのようなゆがみやねじれのために、締結又は閉鎖アッセンブリがリール上の保管状態から巻き出された後に正確に直線状に保たれることを保証することが非常に困難であることが理解されるであろう。その結果、使用状態において、このような相補的な締結又は閉鎖アッセンブリを正しい位置に配置することがしばしば困難となり、従って、袋用の適切な閉鎖具や満足のいくシートアッセンブリを得ることが困難となる。また、締結又は閉鎖アッセンブリがフィルムの進行方向を横切って延びる方向に搬送される際には特に、アッセンブリを固定する前に、袋又はシートを作り上げるためのフィルム上にアッセンブリがくるようにアッセンブリを案内することがしばしば必要となる。この場合、締結又は閉鎖アッセンブリが好ましくない形でゆがんでいると、それらがガイドから逃げてしまうことが判明した。
【０００９】
各種の解決手段が既に提案されており、その一つは特に、このような閉鎖アッセンブリに対して、保管中に与えられたのとは逆の方向へのねじれを与えることにより、閉鎖アッセンブリの記憶効果を取り除く、というものである。この点については、特に特許文献１を参照されたい。
【特許文献１】米国特許第６６１６８８１号明細書
【発明の開示】
【発明が解決しようとする課題】
【００１０】
しかしながら、このような解決手段は十分に満足できるものではない。
【００１１】
本発明の目的は、このような状況を改良することにある。
【課題を解決するための手段】
【００１２】
このような目的のため、本発明は、シート又は包装用の袋の口部に取り付けられる締結又は閉鎖アッセンブリを提供する。この締結又は閉鎖アッセンブリは、支持ウェブと、この支持ウェブにより担持された締結又は閉鎖要素とにより形成された、少なくとも一つの締結又は閉鎖ストリップを備えている。このような締結又は閉鎖アッセンブリは、ストリップの支持ウェブの幅方向の一部を占める、連続的に配置された切り口を有し、これらの切り口は、締結又は閉鎖要素の外側に位置するとともに、アッセンブリの長さ方向に亘って配置され、アッセンブリのゆがみや湾曲、ねじれの影響を抑えるように構成されていることを特徴とする。
【００１３】
本出願人は、締結又は閉鎖アッセンブリにおいて、上述したような切り口を、支持ウェブのうち締結又は閉鎖要素の外側の全体に亘って形成することにより、上述したようなゆがみや湾曲、ねじれが除去される、ということを見出した。
【００１４】
このようにしてアッセンブリに施される切り口の領域は、応力を緩和させ、また少なくとも、応力が伝達されることを防止することができる。これにより、上述したような従来技術の分野においてアッセンブリ上で見つけられる、ゆがみ等が除去される。
【００１５】
本発明に係る非限定的な実施形態において、上述した連続的に配置される切り口は、前記アッセンブリを支持する各々のウェブの縁の一つ（すなわち狭い縁）に対して開口している。しかしながら、変形例において、連続的に配置される切り口が、前記アッセンブリを支持する各々のウェブの中間の領域（すなわち二つの側縁の間の領域）に亘って、側縁に対して開口することなく、形成されていてもよい。
【００１６】
本発明の別の有利な特徴によれば、連続的に配置される切り口は、袋のピッチで形成されているとよい。しかしながら、変形例としては、上述したような袋を形成するフィルム上にストリップを固定する固定手段が、切り口の近傍において前記アッセンブリと前記フィルムとの間の良好な接触を保証する限り、連続的に配置された切り口が、袋のピッチと非常に異なったピッチで形成されていてもよい。
【００１７】
本発明はまた、上述したような締結又は閉鎖アッセンブリを用いて得られたシート又は袋を提供する。
【００１８】
本発明の他の特徴、目的及び利点は、非限定的な例として与えられた添付図面を参照しながら以下の詳細な説明を読むことにより理解されるであろう。
【発明を実施するための形態】
【００１９】
添付の図１は、包装用の袋の口部やシートに取り付けられるのに適した、本発明に係る締結又は閉鎖アッセンブリ１０を示している。締結又は閉鎖アッセンブリ１０は、二つの相補的なストリップ１２、１４により構成されており、これらのストリップ１２、１４には、支持ウェブ１２０、１４０に担持された、例えば相補的な雄型又は雌型の要素１２２、１４２、又は相補的なフック１２４、１４４が設けられている。
【００２０】
添付の図１から分かるように、本発明によれば、二つのストリップ１２、１４にはそれぞれ、ウェブ１２０、１４０のうちファスナ（締結）要素１２４、１４４の外側に切り口１３、１５が設けられている。これらの切り口１３、１５は袋と同一のピッチｐで形成されているとよい。すなわち、二つの切り口１３、１５の間の距離ｐ（ストリップ１２、１４に沿った距離）は、この例では、ストリップが固定されることとなる袋の口部の幅に等しい。しかしながら、変形例においては、上述したとおり、上述したような袋を形成するフィルム上にストリップを固定する固定手段が、切り口の近傍においてストリップ１２、１４とフィルムとの間の良好な接触を保証する限り（すなわち、固定手段が、ストリップ１２、１４がこれらの位置で引き離されるのを避けるように作用する限り）、連続的に配置された切り口１３、１５が、袋のピッチと非常に異なったピッチで形成されていてもよい。
【００２１】
図１に示す例では、切り口１３、１５はその輪郭が矩形状をなしている。しかしながら、このような構成は本質的なものではない。
【００２２】
また、図１及び図２に示す構成では、切り口１３、１５は全て、ストリップ１２、１４の同一の縁に対して開口している。これらの切り口は、この縁と、ファスナ要素１２４、１４４に隣接する領域との間に亘って延びており、ファスナ要素１２４、１４４の下方には延びていない。
【００２３】
しかしながら、これは一例であり、図８には変形例の構成が示されている。図８において、切り口１３、１５は、ストリップのウェブの中間の領域に形成されている。すなわち、切り口１３、１５は、ストリップの二つの側縁３０、３２の間の領域に形成されており、これらの縁のいずれに対しても開口しておらず、ファスナ要素１２２、１４２の下方にも延びていない。
【００２４】
非限定的な例についてのものであるが、図１に示す例において、切り口１３、１５はそれらの高さｈよりも大きな幅ｌ（図ではｅに相当）を持っている。
【００２５】
添付の図２は、本発明に係る閉鎖アッセンブリの変形例を示している。この変形例は、ウェブ１２０、１４０に形成された切り口１３、１５が、その幅において非常に狭く、かつ、ストリップ１２、１４の縁に対して垂直に延びる狭い切欠き（ノッチ）に相当している、という点で、図１に示す第１の実施形態と異なっている。それが適切であるならば、図２に示す切欠き１３、１５は、何ら材料を除去することなく形成される、単なる切り込みのようなものとして構成されていてもよい。
【００２６】
添付の図３は、既存の閉鎖ストリップの例を示しており、この例において、ストリップ１２、１４はそれぞれ、ウェブ１２０、１４０を備えている。ウェブ１２０、１４０のうちの一方は雄型の要素１２２を担持し、他方は相補的な雌型の要素１４２を担持する。このような閉鎖ストリップは当業者に良く知られたものであるので、ここでは、単純に実例のみを示し、より詳細な説明はしない。
【００２７】
図４は、閉鎖ストリップの別の例を示しており、この例において、二つのストリップ１２、１４はそれぞれ、符号１２４、１４４が付された相補的なフックの形態の要素を担持するウェブ１２０、１４０を備えている。この例においても、このような閉鎖アッセンブリは当業者に良く知られたものであるので、単純に実例のみを示し、より詳細な説明はしない。
【００２８】
図５及び図６は、図３及び図４にそれぞれ類似した二つの変形例を示しており、これらの例において、ウェブ１２０はファスナ要素１２２、１４２の一方の側のみに延びている。このような変形例もまた、当業者に良く知られたものであるので、より詳細な説明はしない。
【００２９】
最後に、図７においては、上述した閉鎖アッセンブリに取り付けられるのに適したスライダーの基本構造の断面が示されている。スライダーとしてのカーソル２０は、二つの側壁２４、２６と一つの中央低壁２８とを担持する底壁２２を備えている。低壁２８及び側壁２４、２６は、それらの間に二つの非平行な通路２７、２９を画成している。通路２７、２９は、スライダーの一方の軸方向端部へ向けて収束している。通路２７、２９は、ストリップ１２、１４のそれぞれを受け入れるように設計されている。当業者であれば従って、スライダー２０が閉鎖ストリップの一方の軸方向端部へ向けて移動する際に、それらが切り離され、その結果として袋が開く、ということが容易に理解されるであろう。これに対し、スライダーが閉鎖ストリップの第二の端部へ向けて移動した際には、それらが一緒になるように移動し、その結果として袋が閉まる。
【００３０】
本発明に係る切り口１３、１５を有する閉鎖ストリップ１２、１４、及びまた（必要であれば）スライダー２０は、包装用の袋やシートを作るのに適した任意の種類のフィルム、特に（それに限定されるものではないが）プラスチック材料や複合材料からなるフィルムに関連付けられる。同様に、締結又は閉鎖ストリップ１２、１４は、任意の適切な手段、好ましくは熱シーリングによりフィルムに固定されてもよい。
【００３１】
本発明においては、切り口１３、１５の高さｈは、好ましくは、閉鎖ストリップ１２、１４の高さｈ０に対して１／３から１／１０の範囲にあるとよい。
【００３２】
当然に、本発明は、上述した特定の実施形態に限定されるものではなく、本発明の精神の範囲内にある任意の変形例に及ぶものである。
【００３３】
図１ないし図８に示す実施形態において、切り口１３、１５は閉鎖ストリップの縁３０、３２に対して垂直に延びている。
【００３４】
図９は、切り口１３、１５が縁３０、３２に対して斜めになっている、変形例の構成を示している。
【００３５】
より詳細には、図９において、切り口１３、１５は閉鎖ストリップの縁３０の一つに対して開口している。図９に示す切り口の斜めの配置はまた、上述したような、切り口が閉鎖ストリップのいずれの縁に対しても開口しておらず、かつ、縁の間にて延びるような場合（図８に模式的に示す場合）にも適用することができる。
【００３６】
好ましくは、本発明において、図９に示す斜めの切り口１３、１５は、ストリップの縁３０に対して約３０°〜６０°の角度αで傾斜している。
【００３７】
より詳細には、図９に示す閉鎖ストリップは、次のような態様で、図９にて矢印Ｄで示す方向に移動するように構成されている。すなわち、静止状態でかつ閉鎖ストリップが移動するにつれて相対的に移動するガイド又は支持体は、初期の段階では、閉鎖ストリップの内側に位置する切り口１３、１５の端部１３０に係合し、最終的には、縁３０に対して開口する切り口の自由端部１３２に係合する。その結果、閉鎖ストリップは、上述したようなガイド又は支持体を位置付ける際に、鋭角的でない鈍角的な前縁のみを提供することとなり、閉鎖ストリップとそれに関連するガイド又は支持体との間で引っ掛かりないし食い込みが生じる恐れを回避する。
【００３８】
図９に示す切り口の斜めの配置は従って、袋を作るためのフィルム上に留め付けられるべくガイド内で閉鎖ストリップが移動するような場合に特に有利である。
【００３９】
図９に示す変形例において、切り口１３、１５は平行な縁を有しており、適切であれば、上述したように、何ら材料を除去することなく形成されていてもよい。
【００４０】
図１０は、切り口１３、１５が、互いに平行でない縁１３４、１３５、１５４、１５５を提供するような、変形例を示している。切り口１３、１５は、それらの開口側の縁が閉鎖ストリップの縁３０の開口部へ向くことで、Ｖ字型の形状をなしている。図１０は、縁３０に垂直な平面に関して対称的である切り口１３、１５を示している。しかしながら、このような配置は本質的なものではなく、切り口１３、１５は、縁３０に垂直な平面に対して非対称的であってもよい。
【００４１】
切り口１３、１５は、閉鎖ストリップの縁３０に対して３０°〜６０°の範囲にある角度で各々傾斜した直線的な縁１３４、１３５、１５４、１５５により画成されている。このような配置は、閉鎖ストリップが、静止状態にある支持体又はガイドに対して、引っ掛かりや食い込みといった何らのリスクもなく、いずれの方向にも移動することができる、という点で有利である。
【００４２】
図１１は、切り口１３、１５が縁３０、３２に対して略平行であるような、他の変形例の構成を示している。図１１において、同一のストリップ内にある切り口１３、１５は全て一列に並んでいる。
【００４３】
図１２は、切り口１３、１５がストリップの縁３０、３２に対して略平行でありながら、それらの全てが一列には並んでいない、他の変形例の構成を示している。
【図面の簡単な説明】
【００４４】
【図１】本発明に係る第１の切り口の構成を示す図。
【図２】本発明に係る第２の切り口の構成を示す図。
【図３】本発明の第１の例に係る閉鎖アッセンブリの概略断面図。
【図４】本発明の第２の例に係る閉鎖アッセンブリの概略断面図。
【図５】本発明の第３の例に係る閉鎖アッセンブリの概略断面図。
【図６】本発明の第４の例に係る閉鎖アッセンブリの概略断面図。
【図７】本発明に係る閉鎖アッセンブリに取り付けられるのに適したスライダーの概略断面図。
【図８】本発明に係る第３の切り口の構成を示す図。
【図９】本発明の一変形例に係る切り口の構成を示す図。
【図１０】本発明の他の変形例に係る切り口の構成を示す図。
【図１１】本発明のさらに他の変形例に係る切り口の構成を示す図。
【図１２】本発明のさらに他の変形例に係る切り口の構成を示す図。
【符号の説明】
【００４５】
１０  締結又は閉鎖アッセンブリ
１２、１４  締結又は閉鎖ストリップ
１３、１５  切り口
２０  スライダー（カーソル）
２２  底壁
２４、２６  側壁
２７、２９  通路
２８  中央低壁
３０、３２  側縁
１２０、１４０  支持ウェブ
１２２、１４２  ファスナ要素
１２４、１４４  フック
１３０、１３２  端部
１３４、１３５、１５４、１５５  側縁
【図１】
2006347630.tif 000003
【図２】
2006347630.tif 000004
【図３】
2006347630.tif 000005
【図４】
2006347630.tif 000006
【図５】
2006347630.tif 000007
【図６】
2006347630.tif 000008
【図７】
2006347630.tif 000009
【図８】
2006347630.tif 000010
【図９】
2006347630.tif 000011
【図１０】
2006347630.tif 000012
【図１１】
2006347630.tif 000013
【図１２】
2006347630.tif 000014